(57)【特許請求の範囲】
【請求項１】
放電電極と、放電電極に液体を供給する液供給手段と、放電電極に高電圧を印加する高電圧印加手段と、放電電極に近接して位置するハウジングとを備え、放電電極が保持する液体に高電圧を印加して生成されるマイナス帯電の帯電微粒子ミストを、ハウジングが形成する対象空間内に放出する静電霧化装置において、帯電微粒子ミストが放出される対象空間に向けてプラスイオンを放出する除電手段を備え、該除電手段により、ハウジングのマイナス帯電の除電を行うことを特徴とする静電霧化装置。
【請求項２】
除電手段として、高電圧印加手段による放電電極への電圧印加を、マイナス極性とプラス極性とで交互に入れ替えるものとすることを特徴とする請求項１に記載の静電霧化装置。
【請求項３】
除電手段は、ハウジングの体積固有抵抗が１０１６〜１０２０（Ω・ｃｍ）である場合には、少なくとも１時間に１回は極性をプラス極性に反転させることを特徴とする請求項２に記載の静電霧化装置。
【請求項４】
除電手段として、対象空間に向けてプラスイオンを放出させるイオン化針を備えることを特徴とする請求項１に記載の静電霧化装置。
【請求項５】
対象空間内の絶対湿度を検出する湿度検出手段を備え、該湿度検出手段の検出結果に応じて除電手段によるプラスイオンの放出量を制御することを特徴とする請求項１〜４のいずれか一項に記載の静電霧化装置。
【請求項６】
除電手段によるプラスイオンの放出量を、絶対湿度が高くなるほどプラスイオンの放出量を抑制させるように制御することを特徴とする請求項５に記載の静電霧化装置。
【発明の詳細な説明】
【技術分野】
【０００１】
本発明は、対象空間内に帯電微粒子ミストを放出するに際して、対象空間側のマイナス帯電の影響を受けることなく帯電微粒子ミストを長時間に亘って安定的に生じさせるための技術に関するものである。
【背景技術】
【０００２】
従来から静電霧化装置として、例えば特許文献１が知られている。この特許文献１に示された従来例にあっては、液溜め部の液体を毛細管現象により放電電極の先端に搬送し、このように毛細管現象により放電電極の先端部に供給された液体を放電電極の先端部に表面張力により保持し、この放電電極の先端部に表面張力により保持された液体に高電圧を印加することで静電霧化して活性種（ラジカル）を含むナノメータサイズの帯電微粒子ミストを発生するようになっている。
【０００４】
この帯電微粒子ミストは活性種（ラジカル）を含み且つ極めて小さな粒径を有しているので、外部に放出された後は外部空間内の隅々まで飛散して殺菌、脱臭を行なうと共に、外部空間内に存在する物体に付着浸透して効果的に殺菌、脱臭を行なうことができる。
【０００５】
ところが、この静電霧化装置を例えば食品保管庫の庫内空間といった狭い対象空間内に設置し、該対象空間内に帯電微粒子ミストを長時間に亘って放出させようとするような場合には、対象空間を形成するハウジングの内壁や収納物体の表面に帯電微粒子ミストが付着して強くマイナス帯電し、このマイナス帯電の影響を受けて帯電微粒子ミストが安定的に生成され難くなるといった問題が生じる。
【発明の開示】
【発明が解決しようとする課題】
【０００６】
本発明は上記の従来の問題点に鑑みて発明したものであって、対象空間内に帯電微粒子ミストを放出するに際して、対象空間側のマイナス帯電の影響を受けることなく帯電微粒子ミストを長時間に亘って安定的に生じさせることのできる静電霧化装置を提供することを課題とするものである。
【課題を解決するための手段】
【０００７】
上記課題を解決するために本発明を、放電電極３と、放電電極３に液体Ｗを供給する液供給手段と、放電電極３に高電圧を印加する高電圧印加手段と、放電電極３に近接して位置するハウジング１０とを備え、放電電極３が保持する液体Ｗに高電圧を印加して生成されるマイナス帯電の帯電微粒子ミストを、ハウジング１０が形成する対象空間Ｓ内に放出する静電霧化装置１において、帯電微粒子ミストが放出される対象空間Ｓに向けてプラスイオンを放出する除電手段を備え、該除電手段により、ハウジング１０のマイナス帯電が放電電極３先端の液玉Ｗ１のコーン形状に影響を与えない程度まで除電を行うことを特徴としたものとする。
【０００８】
このようにすることで、対象空間Ｓを形成するハウジング１０の内壁や、対象空間Ｓ内に収納される物体の表面に帯電微粒子ミストが付着してマイナス帯電するような場合であっても、除電手段により放出されるプラスイオンによってこのハウジング１０や収納物体の除電を行うことができる。したがって、放電電極３先端に保持される液玉Ｗ１はこのハウジング１０や収納物体のマイナス帯電の影響を受けずに安定的に静電霧化されることとなり、帯電微粒子ミストが安定的に生成されるものである。
【０００９】
また上記構成の静電霧化装置１にあっては、除電手段として、高電圧印加手段による放電電極３への電圧印加を、マイナス極性とプラス極性とで交互に入れ替えるものとすることも好適である。このようにすることで、除電用のプラスイオンはプラス極性に反転された放電電極３から放出されることとなるので、除電用の特別な装置を備えずともプラスイオンを放出することのできるコンパクトな静電霧化装置１となる。このとき、除電手段は、ハウジング１０の体積固有抵抗が１０１６〜１０２０（Ω・ｃｍ）である場合には、少なくとも１時間に１回は極性をプラス極性に反転させる。
【００１０】
また除電手段として、対象空間Ｓに向けてプラスイオンを放出させるイオン化針４０を備えることも好適である。このようにすることで、対象空間Ｓ内にプラスイオンを放出する時間や方向等を、このイオン化針４０の設置箇所や方向、印加電圧、印加時間等により自在に設定することが可能となる。
【００１１】
更に、上記構成の静電霧化装置１にあっては、対象空間Ｓ内の絶対湿度を検出する湿度検出手段１１を備え、該湿度検出手段１１の検出結果に応じて除電手段によるプラスイオンの放出量を制御することが好適である。対象空間Ｓ内の空気中に存在する水分はハウジング等のマイナス帯電を奪う性質を有し、したがってハウジング等からの一定時間当りの自然放電量は絶対湿度に応じて変化するので、このようにすることでプラスイオンの放出量を必要且つ十分な分だけに制御することが可能となる。このとき、除電手段によるプラスイオンの放出量を、絶対湿度が高くなるほどプラスイオンの放出量を抑制させるように制御する。
【発明の効果】
【００１２】
本発明は、対象空間内に帯電微粒子ミストを放出するに際して、対象空間側のマイナス帯電の影響を受けることなく帯電微粒子ミストを長時間に亘って安定的に生じさせることができるという効果を奏する。
【発明を実施するための最良の形態】
【００１３】
以下、本発明を添付図面に示す実施形態に基いて説明する。図１〜図３には、本発明の実施形態における一例の静電霧化装置１を示している。本例の静電霧化装置１は、霧化用の液体Ｗを搬送するための液体搬送部２と、液体搬送部２の先端部である放電電極３と、放電電極３の先端と対向して位置する対向電極１４と、液体Ｗに圧力を作用させて液体搬送部２の先端部に設けた放電電極３先端に液体Ｗを供給する加圧手段４と、放電電極３と対向電極１４との間に高電圧を印加する電圧印加部５とを備えたものである。なお、以下の説明では液体Ｗが水の例で説明するので、液体Ｗは水Ｗとして表す。
【００１４】
図１に示すように本例にあっては加圧手段４として、水頭圧により水Ｗに圧力を作用させて放電電極３の先端に水Ｗを供給するようになっている。液体搬送部２は図示例では筒状をしており、この液体搬送部２の内部の孔１３部分の内径が先端の放電電極３部分を除いて毛細管現象が発生しない大きさの孔部１３ａとなっている。孔１３の先端部は、先端が細径となるように孔径が次第に細くなっており、内部の水Ｗに圧力が作用しても孔１３の最先端においては水Ｗが表面張力により液玉状態を保持し、孔１３の最先端から水Ｗが垂れ流しされないような孔径としてある。
【００１５】
液体搬送部２の後端部には、水頭圧調整部となる液体溜め部６を連通させてある。図中の符号７は液体補給用のタンクであり、マイクロポンプ等のポンプ１５によりタンク７内に溜まっている水Ｗを液体溜め部６に補給して、液体溜め部６の水位（液位）を放電電極３の先端よりも高い所定設定水位に保つようにしている。具体的には、液体溜め部６内に水位センサ１６が設けてあり、水位センサ１６により液体溜め部６内の水位を検知するとともに、液体溜め部６内の水位が放電電極３の先端よりも高い所定設定水位よりも下がるとこれを検知し、制御部１７からの制御によりポンプ１５を駆動して液体溜め部６内の水位が所定水位に復帰するようにタンク７内の水を供給するようになっている。したがって、液体搬送部２の先端部の放電電極３の先端に表面張力により形成される液玉Ｗ１には常に決められた一定の水頭圧が作用するものである。この水頭圧は、放電電極３の最先端に表面張力により液玉Ｗ１が形成されることを阻害しない程度のものになるよう予め設定してある。
【００１６】
図２、図３には、上記静電霧化装置１の概略斜視図が示してある。液体溜め部６やタンク７等はベース２６に取付けてあり、このベース２６にカバー２７を取付けて液溜め部６やタンク７を覆うことで、ユニット化されてコンパクトとなった静電霧化装置１が構成される。図示例ではカバー２７に設けた孔２８から液体搬送部２先端の放電電極３が突出しており、カバー２７に設けた対向電極１４が上記放電電極３の先端の前方位置に配置してある。タンク７は透明又は半透明の材料で形成してあり、カバー２７に水位窓２９が設けてあってタンク７内の水位の確認ができるとともに、タンク７内の水位が低くなるとタンク７上部の給水口３０から給水するようになっている。
【００１７】
上記構成から成る静電霧化装置１にあっては、液体搬送部２先端の放電電極３に水Ｗが供給されて表面張力により液玉Ｗ１が形成される状態で、適宜箇所に備えてある操作部９を操作して帯電微粒子ミストの生成をオンに設定すれば、このオン指令を受けた制御部１７によって制御される電圧印加部５が、放電電極３がマイナス電極となって電荷が集中するように該放電電極３と対向電極１４との間に高電圧（８ｋＶ程度）を印加し、ナノメータサイズの帯電微粒子ミストと、ミクロンサイズの帯電微粒子ミストとを同時に生成させる。
【００１８】
上記ナノメータサイズの帯電微粒子ミストとミクロンサイズの帯電微粒子ミストとが同時に生成される理由は、下記の通りであると考えられる。即ち、液体搬送部２先端の放電電極３に表面張力により液玉Ｗ１が形成された状態で、電圧印加部５により高電圧を印加すると、放電電極３の先端に表面張力により液玉状に保持された水Ｗが帯電し、帯電した水にクーロン力が働くことで液玉Ｗ１が局所的に円錐形状（テイラーコーン）に盛り上がる。そして円錐形状となった水Ｗの最先端に電荷が集中して電荷の密度が高密度となり、高密度の電荷の反発力ではじけるようにして最先端の水Ｗが分裂・飛散（レーリー分裂）を繰り返して静電霧化を行い、主としてナノメータサイズの帯電微粒子ミストを大量に発生させる。加えて、テイラーコーンとなった液玉Ｗ１には前述のように加圧手段４による加圧力が作用していることで、液玉Ｗ１の表面は表面張力により保たれる液玉状態が僅かな力でも破れ得る不安定な状態となっており、このため、最先端のように電荷が集中する箇所ではない液玉Ｗ１の最先端以外の表面部分においても、高電圧の印加により液玉Ｗ１から表面の一部が千切れて分裂・飛散するものである。この部分においては、電荷が最先端ほど集中しておらず水Ｗを分裂させるエネルギーも小さいので、主としてミクロンサイズの帯電微粒子ミストが生成されるのである。
【００１９】
上記のようにしてナノメータサイズの帯電微粒子ミスト、及びミクロンサイズの帯電微粒子ミストが生成されると水が消費されてゆくが、放電電極３の先端には絶えず表面張力で液玉Ｗ１が形成されるように加圧手段４により水Ｗが供給されるので、継続してナノメータサイズの帯電微粒子ミスト、及びミクロンサイズの帯電微粒子ミストが生成され続けることになる。上記のようにして生成されるナノメータサイズの帯電微粒子ミストとミクロンサイズの帯電微粒子ミストには、活性種（ラジカル）が含まれる。
【００２０】
このように同時生成されたナノメータサイズの帯電微粒子ミストとミクロンサイズの帯電微粒子ミストは、放電電極３と対向して位置する対向電極１４に向けて移動し、ハウジング１０に囲まれて形成される所定の対象空間Ｓ内に放出される。対象空間Ｓ内に放出されたナノメータサイズの帯電微粒子ミストは対象空間Ｓ内の隅々まで飛散し、この帯電微粒子ミストに含まれる活性種（ラジカル）によって対象空間Ｓ内の殺菌、脱臭、有害物質の分解等を行うとともに、この帯電微粒子ミストが対象空間Ｓ内に位置する物体に付着浸透することで、該物体の殺菌、脱臭、有害物質の分解等を行なうことができる。上記ナノメータサイズの帯電微粒子ミストだけでは粒径が極めて小さいので、対象空間Ｓやこの対象空間Ｓ内の物体の加湿には十分でないが、本発明においては同時にミクロンサイズの帯電微粒子ミストを放出するので、これらの加湿を十分に行なえる。
【００２１】
そして、本例の静電霧化装置１の制御部１７にあっては図４に示すように、操作部９のスイッチを操作して帯電微粒子ミストの生成をオンに設定してある間には、放電電極３がマイナス電極となって電荷が集中するように該放電電極３と対向電極１４との間に一定時間（以下これを「通常極性時間Ｔ１」という）だけ８ｋＶ程度の高電圧を印加して帯電微粒子ミストを生成させる通常極性モードと、放電電極３がプラス電極となって電荷が集中するように該放電電極３と対向電極１４との間に一定時間（以下これを「極性反転時間Ｔ２」という）だけ８ｋＶ程度の逆極性の高電圧を印加してプラスイオンを生成させる極性反転モードとを、交互に切り替えながら帯電微粒子ミストの生成を継続していくようになっている。
【００２２】
ここで、静電霧化装置１で生成される帯電微粒子ミストが対象空間Ｓを形成するハウジング１０の内壁に大量に付着して該ハウジング１０全体が強くマイナス帯電してしまうと、放電電極３先端の液玉Ｗ１の上記テイラーコーンが、近接して位置するハウジング１０内壁のマイナス帯電の影響を受けて安定したコーン形状に形成され難くなる。これに対して本例にあっては帯電微粒子ミストの生成がオンとなっている間にマイナス極性とプラス極性とが交互に入れ替わるように放電電極３への電圧印加がなされ、これによって上記の如く帯電微粒子ミストを放出する通常極性モードとプラスイオンを放出する極性反転モードとが交互に入れ替わるようにしてあるので、この極性反転モード中に放出されるプラスイオンによってハウジング１０のマイナス帯電が除電されることとなる。したがってハウジング１０が強くマイナス帯電されることがないので、帯電微粒子ミストを長時間に亘って放出させる場合であっても、放電電極３先端の液玉Ｗ１の上記テイラーコーンは安定的したコーン形状に形成され、帯電微粒子ミストが安定的に生成されるようになっている。
【００２３】
通常極性モードの通常極性時間Ｔ１と極性反転モードの極性反転時間Ｔ２は、極性反転モード中に放出されるプラスイオンによりハウジング１０のマイナス帯電が液玉Ｗ１のコーン形状に影響を与えない程度にまで除電されるよう適宜設定する。例えば体積固有抵抗が１０１６〜１０２０（Ω・ｃｍ）のポリスチレン製のハウジング１０を用いて容積７０Ｌの対象空間Ｓを形成してある場合には、少なくとも１時間に１回以上は極性反転モードとなり、且つ１回の極性反転時間Ｔ２が５分程度となるよう設定することが好ましい。
【００２４】
また、図５の変形例に示すように、帯電微粒子ミストを放出させる対象空間Ｓ内の絶対湿度を検出する湿度検出手段１１を備えておき、この湿度検出手段１１を用いて検出される絶対湿度に応じて上記の通常極性時間Ｔ１及び極性反転時間Ｔ２を設定するよう制御部１７を設けることが好適である。これは、対象空間Ｓ内の空気中に存在する水分がハウジング１０のマイナス帯電を奪う性質を有し、したがって絶対湿度が高くなるほどハウジング１０からの単位時間当たりの自然放電量が増加するからであって、検出される絶対湿度が高くなるほどに極性反転時間Ｔ２を短く設定してプラスイオンの放出量を抑制させるようにすることで、必要十分な極性反転時間Ｔ２を挟んで帯電微粒子ミストを安定的に且つ大量に放出することが可能となる。具体的には、例えば湿度検出手段１１により検出される絶対湿度が予め設けてある所定の閾値を超えれば、極性反転時間Ｔ２が短く変更されるようにすればよい。
【００２５】
湿度検出手段１１としては、対象空間Ｓ内の温度と相対湿度から絶対温度を検出するものを用いてもよいし、対象空間Ｓ内が略一定の湿度に保持される条件下であれば温度のみから絶対温度を検出するものであってもよいし、また対象空間Ｓ内が略一定の温度に保持される条件下であれば相対温度のみから絶対温度を検出するものであってもよい。
【００２６】
上記構成から成る本例の静電霧化装置１は、様々な対象空間Ｓに帯電微粒子ミストを供給する装置として使用することができる。
【００２７】
例えば図６には、本例の静電霧化装置１を食品保管庫１２に備えた場合を示している。食品保管庫１２は、その庫内空間に食品を収納させておく食品収納部２２と、食品収納部２２内の温度を目的とする温度にするための冷却部又は加熱部よりなる温度調整部２３とを備えたものである。食品収納部２２の開口部には開閉蓋（図示せず）が設けてある。また、食品保管庫１２には更に電源スイッチ２４、温度調整の操作を行うための温度調整操作部２５が設けてある。そして、食品収納部２２の庫内空間に食品を収納し、温度調整操作部２５を操作して収納する食品の保存に最適の温度に調整し、電源スイッチ２４をオンにすると、食品収納部２２内が温度調整操作部２５で設定された設定温度に温度制御されるとともに、電源スイッチ２４のオンと連動して静電霧化装置１においては帯電微粒子ミスト生成がオンとなり、食品収納部２２内にナノメータサイズの帯電微粒子ミストとミクロンサイズの帯電微粒子ミストとが、高電圧印加の極性反転により途中で極性反転モードを周期的に挟みながら放出されるようになっている。
【００２８】
つまり、この場合にあっては食品保管庫１２の電源スイッチ２４が静電霧化装置１の操作部９を兼ねるものであり、また食品収納部２２の庫内空間が帯電微粒子ミストを放出する対象空間Ｓとなっている。
【００２９】
食品収納部２２内の対象空間Ｓにナノメータサイズの帯電微粒子ミストとミクロンサイズの帯電微粒子ミストとを放出すると、放出されたナノメータサイズの帯電微粒子ミストは対象空間Ｓ内の隅々まで飛散し、該帯電微粒子ミストに含まれる活性種（ラジカル）により対象空間Ｓ内の殺菌、脱臭、有害物質の分解等を行なうとともに、対象空間Ｓ内に位置する物体（この場合は食品収納部２２内に保管している食品）に付着浸透して殺菌、脱臭、有害物質の分解等を行なう。また、放出されたミクロンサイズの帯電微粒子ミストにより対象空間Ｓ内の加湿、及び対象空間Ｓ内の物体への加湿が十分に行なわれる。食品収納部２２内の対象空間Ｓには種々の食品を保管することができるが、特に葉野菜を保管する場合に効果がある。
【００３０】
そして、このように帯電微粒子ミストを放出する対象空間Ｓが食品収納部２２の庫内空間である場合においても、図４に基づいて既述したように放電電極３から帯電微粒子ミストを放出する通常極性モードと、放電電極３への高電圧印加を極性反転して該放電電極３からプラスイオンを放出する極性反転モードとを一定周期で交互に切り替えるようにしてあることで、食品収納部２２の対象空間Ｓを形成するハウジング１０の除電が極性反転モード中になされ、ハウジング１０が強くマイナス帯電することが防止される。
【００３１】
加えて、特に対象空間Ｓ内に収納される物体がラップに包まれる野菜等である場合にはラップ部分に帯電微粒子ミストが付着して強くマイナス帯電され易くなるのだが、極性反転モード中にはこの収納物体のマイナス帯電もプラスイオンにより効果的に除電される。
【００３２】
したがって、本例の静電霧化装置１を備えた食品保管庫１２にあっては、放電電極３先端の液玉Ｗ１の上記テイラーコーンが安定的したコーン形状に形成されるとともに、帯電微粒子ミストが安定的に生成されることとなる。
【００３３】
また、このように対象空間Ｓが食品収納部２２の庫内空間である場合においても、図５に基づいて上記したように対象空間Ｓ内の絶対湿度を検出する湿度検出手段１１を備え、該湿度検出手段１１の検出結果に応じて通常極性時間Ｔ１と極性反転時間Ｔ２を設定し、これによりプラスイオンの放出量を制御することは好ましい。特に本例の食品保管庫１２が冷蔵庫である場合には対象空間Ｓ内の湿度は略一定に保持されるので、上記湿度検出手段１１として温度計を備えてこの温度計の検出結果から推定される絶対湿度に基づいて通常極性時間Ｔ１及び極性反転時間Ｔ２を設定してもよい。
【００３４】
また特に図示はしないが、本例の静電霧化装置１を設置して帯電微粒子ミストを放出させる対象空間Ｓとしては、図６に示した食品収納部２２のような収納庫の庫内空間に限定されず、例えば洗濯機において洗濯対象物を収納する洗濯籠内の空間や、衣類乾燥機、食器乾燥機等において乾燥対象物を収納する乾燥籠内の空間といったように、ハウジング１０により囲まれて形成される限定された庫内空間であって該ハウジング１０のマイナス帯電や収納物体のマイナス帯電が放電電極３先端の液玉Ｗ１のコーン形状に影響を及ぼすようなものであれば、同様の構成が適用可能であることは勿論である。
【００３５】
次に、本発明の実施形態における他例の静電霧化装置１について、図７、図８に基づいて説明する。なお、本例にあっては、帯電微粒子ミストが放出される対象空間Ｓに向けてプラスイオンを放出する除電手段以外の構成については上記した一例と同様の構成であるから、一例と同様の構成については同一符号を付して詳しい説明を省略し、一例とは相違する構成についてのみ以下に詳述する。
【００３６】
本例にあっては、マイナス帯電の除電手段として、一例のように放電電極３への電圧印加をマイナス極性とプラス極性とで交互に入れ替えるようにするのではなく、対象空間Ｓに向けてプラスイオンを放出させるイオン化針４０を放電電極３とは別に備えてある。図示例ではイオン化針４０を一本だけ備えてあるが、複数本備えてあっても構わない。
【００３７】
上記イオン化針４０は細長形状であり且つその先端部分が先鋭形状を成す電極針であって、放電電極３にマイナス電圧を印加するための電圧印加部５とは別の電圧印加部４１により８ｋＶ程度のプラス電圧を印加してコロナ放電を発生させ、これにより対象空間Ｓ内にプラスイオンを放出させるようになっている。
【００３８】
そして、本例の静電霧化装置１にあっては、操作部９のスイッチを操作して帯電微粒子ミストの生成をオンに設定してある間には、電圧印加部５により放電電極３がマイナス電極となって電荷が集中するように該放電電極３と対向電極１４との間に８ｋＶ程度の高電圧が印加されて帯電微粒子ミストを生成させるとともに、電圧印加部４１によりイオン化針４０がプラス電極となってコロナ放電を生じさせるように上記放電電極３とは逆極性の高電圧が印加されてプラスイオンを生成させるようになっている。
【００３９】
このイオン化針４０から放出されるプラスイオンによってハウジング１０のマイナス帯電が除電されることとなるので、ハウジング１０が強くマイナス帯電されることがなく、したがって放電電極３から帯電微粒子ミストを長時間に亘って放出させる場合であっても、放電電極３先端の液玉Ｗ１の上記テイラーコーンは安定的したコーン形状に形成され、帯電微粒子ミストが安定的に生成されるようになっている。
【００４０】
本例にあってはイオン化針４０への電圧印加は間欠的に行うようになっている。ここでのイオン化針４０への電圧印加の時間周期は、イオン化針４０から放出されるプラスイオンによりハウジング１０のマイナス帯電が液玉Ｗ１のコーン形状に影響を与えない程度にまで除電されるよう適宜設定すればよい。例えば体積固有抵抗が１０１６〜１０２０（Ω・ｃｍ）のポリスチレン製のハウジング１０を用いて容積７０Ｌの対象空間Ｓを形成してある場合には、５分程度の電圧印加が１時間に１回以上行われるよう設定することが好ましい。
【００４１】
また、本例にあっても、帯電微粒子ミストを放出させる対象空間Ｓ内の絶対湿度を検出する湿度検出手段１１を備えておき、この湿度検出手段１１の検出結果に応じてイオン化針４０からのプラスイオンの放出量を制御することが好適である。具体的には、例えば湿度検出手段１１により検出される絶対湿度が予め設けてある所定の閾値を超えれば、イオン化針４０への１回毎の電圧印加時間が短く変更されるようにすればよい。
【００４２】
なお、上記した各例にあってはナノメータサイズの帯電微粒子ミストとミクロンサイズの帯電微粒子ミストを生成するようにしているが、これに限定される訳ではなく、ナノメータサイズの帯電微粒子ミストのみを生成するものであっても構わない。液供給手段も、放電電極３に液体Ｗを供給するものであれば他の構成であってもよい。また、放電電極３に高電圧を印加する高電圧印加手段においても図示例には限定されず、例えば対向電極１４を備えずに放電電極３に高電圧を印加させるような構成であってもよい。更に、静電霧化する液体Ｗも水には限定されず、例えば抗菌剤や殺菌剤から成る液体Ｗを放電電極３に供給するようにしてもよい。
【図面の簡単な説明】
【００４３】
【図１】本発明の実施形態における一例の静電霧化装置を示す概略構成図である。
【図２】同上の静電霧化装置の斜視図である。
【図３】同上の静電霧化装置のカバーを外した状態の斜視図である。
【図４】同上の静電霧化装置の通常極性モードと極性反転モードの切り替えを示すタイムチャートである。
【図５】同上の静電霧化装置の変形例を示す概略構成図である。
【図６】同上の静電霧化装置を備えた食品保管庫の概略構成図である。
【図７】本発明の実施形態における他例の静電霧化装置を示す概略構成図である。
【図８】同上の静電霧化装置を備えた食品倉庫の概略構成図である。
【符号の説明】
【００４４】
１  静電霧化装置
３  放電電極
１１  湿度検出手段
４０  イオン化針
Ｓ  対象空間
Ｗ  液体
【図１】
0004645503.tif 000002
【図２】
0004645503.tif 000003
【図３】
0004645503.tif 000004
【図４】
0004645503.tif 000005
【図５】
0004645503.tif 000006
【図６】
0004645503.tif 000007
【図７】
0004645503.tif 000008
【図８】
0004645503.tif 000009